(57)【要約】【課題】  個人情報の漏洩を防止すると共に既存の健診情報を活用して健康維持に必要な健康情報を提供する健康情報提供システムを提供するにある。【解決手段】  健診情報を管理する第１サーバーでは、ネットワークに接続された第２サーバーから提供された短縮情報で識別情報を格納した対応表が参照されてユーザー本人が認証され、個人情報データベースからユーザーを特定する個人特定情報が抽出されて第２サーバーに提供される。第２サーバーにおいては、ユーザーからの短縮情報が短縮情報データベースの短縮情報と比較されて第１サーバーへのアクセスが許可され、第１サーバーに短縮情報が提供される。第１サーバーから提供された個人特定情報及び健診情報データベースから抽出した健診情報が関連付けられて健康情報としてユーザーに提供される。【選択図】図１
2006107134.tif 000002
【特許請求の範囲】
【請求項１】
ネットワークを介して、健康診断の結果を示す健診情報から作成された健康維持に必要な健康情報を、前記健康診断を受診したユーザーに提供する健康情報提供システムであって、
前記健診情報を管理する第１サーバー及び前記ネットワークに接続された前記健康情報を提供する第２サーバーから構成され、
前記第１サーバーは、
前記ユーザーを一意に識別する識別情報ごとに対応して設定された短縮情報を格納した対応表と、
前記識別情報毎に前記ユーザーを特定する個人特定情報と前記健診情報とを格納した個人情報データベースと、
前記第２サーバーから提供された前記短縮情報で前記対応表を参照して前記ユーザー本人を認証する第１認証手段と、
前記第１認証手段での認証に基づいて、前記対応表の前記識別情報に基づいて、前記個人情報データベースから前記ユーザーを特定する個人特定情報を抽出し、前記第２サーバーへ提供する個人特定情報提供手段とを具備し、
前記第２サーバーは、
前記第１サーバーから提供された前記健診情報を格納した健診情報データベースと、
前記第１サーバーから提供された前記短縮情報を格納した短縮情報データベースと、
前記ユーザーから前記健康情報の要求時に入力された前記短縮情報を認証する第２認証手段であって、前記短縮情報と前記短縮情報データベースに格納された前記短縮情報とを比較して当該第２サーバーの前記第１サーバーへのアクセスを許可する第２認証手段と、
前記第２認証手段での認証に基づいて、前記第１認証手段に前記短縮情報を提供する短縮情報提供手段と、
前記第１サーバーから提供された前記個人特定情報と、前記短縮情報に基づいて前記健診情報データベースから抽出した前記健診情報とを関連付けた前記健康情報を前記ユーザーに提供する健康情報提供手段とを具備することを特徴とする健康情報提供システム。
【請求項２】
前記第１サーバーは、                  
所定の外字と対応する画像を格納した外字表と、
前記外字表に基づいて、前記外字を含む前記個人特定情報を画像化する画像化手段とを有し、
前記第１認証手段により前記ユーザー本人であると認証された場合、前記画像化手段により画像化された画像情報を前記第２サーバーへ提供することを特徴とする請求項１記載の健康情報提供システム。
【請求項３】
前記第１サーバーは、
前記短縮情報を生成して前記対応表に格納する短縮情報生成手段と、
前記短縮情報に関連付けた前記健診情報を前記第２サーバーの前記健診情報データベースへ提供する健診情報提供手段とを有することを特徴とする請求項１又は２記載の健康情報提供システム。
【請求項４】
前記第２サーバーの前記短縮情報データベースは、前記短縮情報と共に前記ユーザーにより設定されたパスワードを格納し、
前記第２認証手段は、前記ユーザーから入力された前記短縮情報及び前記パスワードに基づいて、前記第１サーバーへのアクセスを認証することを特徴とする請求項１乃至３いずれか一項記載の健康情報提供システム。
【請求項５】
前記健診情報提供手段は、前記健診情報を既存の健診情報に対応した標準健診情報と、前記標準健診情報へ新たに付加する付加健診情報とに分割して前記健診情報データベースへ提供することを特徴とする請求項４記載の健康情報提供システム。
【請求項６】
前記健診情報提供手段は、前記個人情報データベースに格納された前記健診情報が更新された場合、前記健診情報データベースに格納された前記短縮情報を有する前記健診情報を更新することを特徴とする請求項４又は５記載の健康情報提供システム。
【請求項７】
前記健康情報は、前記健診情報の履歴、専門家による健康維持に必要な指導情報を含むことを特徴とする請求項１乃至６いずれか一項記載の健康情報提供システム。
【請求項８】
前記第１サーバーは、健康診断を行った複数の機関から前記個人特定情報及び前記健診情報を取得することを特徴とする請求項１乃至７いずれか一項記載の健康情報提供システム。
【請求項９】
ネットワークを介して、健康診断の結果を示す健診情報から作成された健康維持に必要な健康情報を、前記健康診断を受診したユーザーに提供する健康情報提供方法であって、
前記ユーザーを一意に識別する識別情報ごとに対応して設定された短縮情報が、前記ユーザーから入力された場合、当該短縮情報と短縮情報データベースに格納された前記短縮情報とを比較してウェブサーバーから情報管理サーバーへのアクセスを許可し、
前記情報管理サーバーへのアクセスが許可された場合、前記情報管理サーバーに前記短縮情報を提供し、
前記ウェブサーバーから提供された前記短縮情報で、前記識別情報ごとに対応して設定された短縮情報を格納した対応表を参照して前記ユーザー本人を認証し、
前記ユーザー本人の認証結果より、前記対応表の前記識別情報に基づいて、前記識別情報毎に前記ユーザーを特定する個人特定情報と前記健診情報とを格納した個人情報データベースから前記ユーザーを特定する個人特定情報を抽出して前記ウェブサーバーへ提供し、
前記情報管理サーバーから提供された前記個人特定情報と、前記健診情報を格納した健診情報データベースから前記短縮情報に基づいて抽出した前記健診情報とを関連付けた前記健康情報を前記ユーザーに提供することを特徴とする健康情報提供方法。
【発明の詳細な説明】
【技術分野】
【０００１】
この発明は、健康情報提供システム及びその方法に係り、特に、既存の健康診断及びユーザーを特定する個人特定情報のデータを利用し、健康維持に必要な健康情報を提供する健康情報提供システム及びその方法に関する。
【背景技術】
【０００２】
現在、職場や市町村、医療機関などで実施される健康診断により作成される健診情報は、老人保健法や労働安全衛生法に基づいて実施者で管理されている。これらの健診情報はほとんどの場合、実施者によって電子化されてデータベースで管理され、健診後に電子化された健診情報を紙媒体に印刷したものとして各個人に提供される。その健診情報には、診断結果を段階的に分類し、改善方法のコメントを一言記載している場合もあれば、健診情報に基づいて保健指導員から指示を受ける場合もある。
【０００３】
健康診断の対象であり、近年増加傾向にある脳卒中を例に挙げると、脳卒中を発症する患者のうち、高血圧を放置した人が１３％、高血圧治療中と医療対象にならない低めの血圧の患者が８７％を占め、健康診断の効果が期待できないものとなっている。高血圧の治療中の患者や、医療対象にならない低めの血圧の患者から、脳卒中の発症の可能性がある患者を早期発見し、その患者を早期治療することが重要である。具体的には、その集団全体の血圧を下げ、高血圧治療の質を高めることが必要である。
【発明の開示】
【発明が解決しようとする課題】
【０００４】
従来、健診情報に記載されている改善方法のコメントだけでは、専門知識を持たない各個人が健診情報から身体の詳細な健康状態や、具体的な健康管理のための対処方法、例えば、血糖値を下げるための食事療法や、疾病の早期発見、早期治療のために対処しなければならない注意点などを把握することは難しい。また、上記のような指導内容を、専門知識を有する医療関係者から得るためには、病院等の医療機関へ出向かなければならず、時間や金銭的な面で頻繁に利用するのは難しい。また、上記のように医療機関に出向いて再検査する場合、健診毎に手渡される健診情報を個人で長期管理しなければならず、手間が煩雑になってしまう。
【０００５】
上記のように各機関で健診情報を電子化して保存しているが、第３者に健康診断の結果や病歴などのプライベートな情報が漏洩してしまう危険性があるため、ネットワークを介して手軽に健診情報を閲覧することが難しいという問題点がある。
【０００６】
従って、本発明は上記課題を解決するため、個人情報の漏洩を防止すると共に、既存の健診情報を活用し、健康維持に必要な健康情報をユーザーの要求に応じて提供することができる健康情報提供システム及びその方法を提供することにある。
【課題を解決するための手段】
【０００７】
この発明によれば、ネットワークを介して、健康診断の結果を示す健診情報から作成された健康維持に必要な健康情報を、健康診断を受診したユーザーに提供する健康情報提供システムであって、健診情報を管理する第１サーバー及びネットワークに接続された健康情報を提供する第２サーバーから構成され、第１サーバーは、ユーザーを一意に識別する識別情報ごとに対応して設定された短縮情報を格納した対応表と、識別情報毎にユーザーを特定する個人特定情報と健診情報とを格納した個人情報データベースと、第２サーバーから提供された短縮情報で対応表を参照してユーザー本人を認証する第１認証手段と、第１認証手段での認証に基づいて、対応表の識別情報に基づいて、個人情報データベースからユーザーを特定する個人特定情報を抽出し、第２サーバーへ提供する個人特定情報提供手段とを具備し、第２サーバーは、第１サーバーから提供された健診情報を格納した健診情報データベースと、第１サーバーから提供された前記短縮情報を格納した短縮情報データベースと、ユーザーから健康情報の要求時に入力された短縮情報を認証する第２認証手段であって、短縮情報と短縮情報データベースに格納された短縮情報とを比較して当該第２サーバーの第１サーバーへのアクセスを許可する第２認証手段と、第２認証手段での認証に基づいて、第１認証手段に短縮情報を提供する短縮情報提供手段と、第１サーバーから提供された個人特定情報と、短縮情報に基づいて健診情報データベースから抽出した健診情報とを関連付けた健康情報を前記ユーザーに提供する健康情報提供手段とが提供される。
【０００８】
また、この発明によれば、ネットワークを介して、健康診断の結果を示す健診情報から作成された健康維持に必要な健康情報を、健康診断を受診したユーザーに提供する健康情報提供方法であって、ユーザーを一意に識別する識別情報ごとに対応して設定された短縮情報が、ユーザーから入力された場合、短縮情報と短縮情報データベースに格納された短縮情報とを比較してウェブサーバーから情報管理サーバーへのアクセスを許可し、情報管理サーバーへのアクセスが許可された場合、情報管理サーバーに短縮情報を提供し、ウェブサーバーから提供された短縮情報で、識別情報ごとに対応して設定された短縮情報を格納した対応表を参照して前記ユーザー本人を認証し、ユーザー本人の認証結果より、対応表の識別情報に基づいて、識別情報毎にユーザーを特定する個人特定情報と健診情報とを格納した個人情報データベースからユーザーを特定する個人特定情報を抽出してウェブサーバーへ提供し、情報管理サーバーから提供された個人特定情報と、健診情報を格納した健診情報データベースから短縮情報に基づいて抽出した健診情報とを関連付けた健康情報をユーザーに提供する。
【０００９】
尚、本発明は上記健康情報提供システム及びその方法に限定されることなく、健康情報提供システムでの処理をコンピュータに実行させるプログラム及びそのプログラムが記録される記録媒体への適応も可能である。
【発明の効果】
【００１０】
従って、本発明の健康情報提供システムでは、既存の健診情報を活用し、ユーザー自らが所定の機関に出向くことなく、健診情報から健康状態や過去の履歴を把握することができる。また、健康情報から医師等からの指導情報を得ることができるため、基本的な対処方法を自己学習することができる。
【００１１】
また、個人特定情報を含む健診情報を管理する情報管理サーバーと、短縮情報と健診情報のみを管理するウェブサーバーとが分離してシステムが構成され、短縮情報に基づいてアクセスするユーザーを認証しているため、個人情報の漏洩を確実に防止することができる。
【００１２】
また、ユーザー側からは、詳細な医師の指導内容を手軽に閲覧することができ、日々の健康管理に活用することができるとともに、専門知識を有する医療関係者側からは、自己学習をしたユーザーに対して、基本的な話を省いて専門性の高い指導を実現することができる。
【発明を実施するための最良の形態】
【００１３】
以下、図面を参照して本発明の実施の形態について説明する。
【００１４】
図１は、本発明の第１実施形態に係る健康情報提供システムを示すブロック図である。図１に示される、健康情報提供システム１００は、ネットワーク１０を介してユーザーの所有するユーザー端末２０へ健康維持に必要な健康情報を提供することができる。この健康情報提供システム１００は、健診情報を管理する情報管理サーバー６０と、ネットワーク１０に接続され、健康情報をユーザー端末２０に提供するウェブサーバー５０とで構成されている。ウェブサーバー５０は、ユーザー端末２０からの要求に従って、始めにユーザーから入力された短縮ＩＤを認証して当該ウェブサーバー５０の情報管理サーバー６０へのアクセスを許可し、短縮ＩＤが情報管理サーバー６０に転送される。情報管理サーバー６０は、短縮ＩＤに基づいてユーザー本人を認証し、認証結果からユーザーを特定する個人特定情報を抽出してウェブサーバー５０へ送信する。そして、ウェブサーバー５０は、短縮ＩＤで予め格納された健診情報を抽出し、個人特定情報と健診情報とを関連付けた健康情報をユーザー端末２０に提供する。ここで、短縮ＩＤとは、各自治体や医療機関においてユーザーを一意に識別することができる個人ＩＤに対応してランダムに生成された文字列であり、個人ＩＤの情報量より小さい情報として個人ＩＤとは別個に定められている。
【００１５】
情報管理サーバー６０とウェブサーバー５０は、各自治体や医療機関内に設置されたＬＡＮ（Ｌｏｃａｌ  Ａｒｅａ  Ｎｅｔｗｏｒｋ）等の専用線で接続されている。また、情報管理サーバー６０では、切替手段５とルーター４により外部との接続が制御されている。従って、情報管理サーバー６０は、ネットワーク１０を介してユーザー端末２０を含む外部からの接続を拒否し、認証済みのウェブサーバー５０からの接続のみを許可する。ウェブサーバー５０は、ルーター４を介してネットワーク１０と接続されている。ルーター４を介するウェブサーバー５０とネットワーク１０は、ファイアーウォールの機能の一つである非武装地帯（ＤＭＺ（Ｄｅ−Ｍｉｌｉｔａｒｉｚｅｄ  Ｚｏｎｅ））６を介して接続され、外部からの不正な接続を排除することが可能である。ウェブサーバー５０は、ルーター４及びネットワーク１０を介してユーザー端末２０と接続されており、認証済みのユーザー端末２０のみと接続される。
【００１６】
次に、図１に示す各構成について説明する。ウェブサーバー５０は、情報管理サーバー６０からユーザーを特定する個人特定情報を取得し、ユーザー端末２０の要求に応じて健康情報を提供するサーバーである。このウェブサーバー５０は、情報管理サーバー６０へのアクセスを許可する認証手段５１と、ユーザー端末２０に健康情報を提供する情報提供手段５２と、ユーザーの個人ＩＤ毎に割り当てられた短縮ＩＤが格納された短縮ＩＤデータベース（以下ＤＢと呼ぶ）５３と、標準健診情報５５と付加健診情報５６とが格納された健診情報ＤＢ５４とで構成されている。ウェブサーバー５０内の健康情報は、必要に応じて、例えば、健診後の一定期間内において、情報管理サーバーの健診情報に基づいて管理者により更新される。尚、標準健診情報５５は、既存の健診情報に対応する情報であり、付加健診情報５６は、既存の健診情報に新たに付加された情報である。また、ウェブサーバー５０において、情報管理サーバー６０から供給される個人特定情報はユーザーに対して健康情報と共に提供されるが、この個人特定情報は、ウェブサーバー５０において短縮ＩＤと関連付けられて保存されることはない。
【００１７】
認証手段５１は、ユーザー端末２０から提供された短縮ＩＤと、ユーザーが設定したパスワードとに基づいて、短縮ＩＤＤＢ５３を参照して短縮ＩＤを認証し、情報管理サーバー６０へのアクセスを許可している。情報提供手段５２は、認証手段５１により認証された場合、ユーザー端末２０からの短縮ＩＤを情報管理サーバー６０に送信する。後に説明するように、情報管理サーバー６０において、短縮ＩＤを利用してユーザーが認証を受けた後に、情報提供手段５２は、情報管理サーバー６０からのユーザーを特定する個人特定情報（例えば、ユーザー氏名）を取得する。同時に、情報提供手段５２は、健診情報ＤＢ５４に格納された健診情報を抽出し、その健診情報と個人特定情報を健康情報としてユーザー端末２０に提供する。短縮ＩＤＤＢ５３には、情報管理サーバー６０から提供された短縮ＩＤと、ユーザー端末２０により設定されたパスワードとが格納されている。健診情報ＤＢ５４には、情報管理サーバー６０から提供された標準健診情報５５と付加健診情報５６とが格納されている。
【００１８】
情報管理サーバー６０は、既存の健診情報と関連付けられた個人ＩＤと対応する短縮ＩＤを用いて、個人特定情報を除いたデータのみの健診情報と短縮ＩＤとをウェブサーバー５０に提供し、短縮ＩＤにより認証されたユーザーの個人特定情報の一部をウェブサーバー５０に提供するサーバーである。この情報管理サーバー６０は、ウェブサーバー５０とリンクさせるための処理を実行するサーバーリンク手段６１と、ウェブサーバー５０から提供された短縮ＩＤに基づいてユーザー本人を認証する認証手段６２と、ユーザー本人が認証された後にウェブサーバー５０へ個人情報を提供する個人特定情報提供手段６３と、各自治体や医療機関においてユーザーを一意に識別することができる個人ＩＤと共に個人特定情報及び健診情報等が格納された個人情報ＤＢ６４とで構成されている。また、サーバーリンク手段６１は、個人ＩＤに応じてランダムに短縮ＩＤを生成する短縮ＩＤ生成手段６５と、既存の健診情報に短縮ＩＤを関連付けるなどの処理を実行する健診情報生成・更新手段６６と、個人ＩＤと対応した短縮ＩＤが格納されたＩＤ対応表６７とで構成されている。
【００１９】
認証手段６２は、ウェブサーバー５０の認証手段５１により認証された後、認証手段５１から提供された短縮ＩＤと、ＩＤ対応表６７とに基づいてユーザー本人を認証する。個人特定情報提供手段６３は、ユーザー本人が認証された後にＩＤ対応表６７から、短縮ＩＤに対応する個人ＩＤを取得し、個人ＩＤに基づいて個人情報ＤＢ６４に格納された個人特定情報を抽出してウェブサーバー５０へ提供する。個人情報ＤＢ６４には、各自治体や医療機関においてユーザーを一意に識別することができる個人ＩＤと、ユーザーを特定することができる個人特定情報、健診情報、健診情報の履歴、医師等による指導情報が格納されている。尚、個人情報ＤＢ６４に格納されるテーブルについては、図２を参照して以下に説明する。
【００２０】
サーバーリンク手段６１の短縮ＩＤ生成手段６５は、個人ＩＤに応じてランダムに短縮ＩＤを生成し、ＩＤ対応表６７に格納する。健診情報生成・更新手段６６は、個人情報ＤＢ６４に格納された既存の健診情報に短縮ＩＤを関連付けてウェブサーバー５０へ提供する。このとき、健診情報生成・更新手段６６は、既存の健診情報と、新たに付加された健診情報とを分割して、ウェブサーバー５０へ提供する。また、健診情報生成・更新手段６６は、個人情報ＤＢ６４の健診情報が更新されると、ＩＤ対応表６７を参照して、短縮ＩＤを有するユーザーの健診情報を抽出し、ウェブサーバー５０の健診情報ＤＢ５４を更新する。
【００２１】
ユーザー端末２０は、ユーザーが所有し、健康情報を閲覧する携帯端末２１又はＰＣ２２である。携帯端末２１からウェブサーバー５０へアクセスする場合、携帯電話網１１及びネットワーク１０、ルーター４を介して接続される。ＰＣ２２からウェブサーバー５０へアクセスする場合、ネットワーク１０及びルーター４を介して接続される。ユーザーが健康情報を閲覧する場合、先ず、ユーザー端末２０からウェブサーバー５０へアクセスし、健康情報を閲覧するためのサイトを表示させる。ユーザー端末２０に表示されたサイトから短縮ＩＤとパスワードを入力し、認証された後、ウェブサーバー５０から健康情報が提供される。ユーザー端末２０に表示される健康情報については、図４〜図７を参照して説明する。尚、ユーザー端末２０は、通信機能及び健康情報を表示する機能を有する端末であれば上記端末に限定することなく適応可能である。
【００２２】
このように、ウェブサーバー５０は、先ず、ユーザー端末２０から入力された短縮ＩＤからユーザー本人であると認証された場合、情報管理サーバー６０の認証手段６２に短縮ＩＤを提供し、情報管理サーバー６０は短縮ＩＤとＩＤ対応表６７とによりユーザー本人であると認証すると、個人特定情報をウェブサーバー５０へ提供し、ウェブサーバー５０は個人特定情報と健診情報とを健康情報としてユーザー端末２０に提供することにより、既存の健診情報を活用し、所定の機関に出向くことなく、健康維持に必要な健康情報をユーザーの要求に応じて提供することができる。また、各自治体や医療機関で使用している個人ＩＤから容易に個人を判定される可能性があるが、短縮ＩＤが第３者に知られてしまった場合でも容易に個人を認識することが難しくなり、更に短縮ＩＤに基づいて認証することにより、情報漏洩を防止することができる。また、短縮ＩＤは、個人ＩＤよりも短縮された情報であるため、ユーザーの入力作業を軽減することができ、高齢者や身体障害者に対しても利便性を向上させることができる。
【００２３】
次に、情報管理サーバー６０の個人情報ＤＢ６４に格納されるテーブルについて説明する。図２は、個人情報ＤＢに格納されるテーブルを示す図である。図２に示すテーブル６８は、既存の健診情報に個人特定情報等を付加した情報である。テーブル６８には、ユーザーを一意に識別することができる個人ＩＤを示す項目と、ユーザーの個人特定情報を示す項目と、既存の健診情報を示す項目と、複数の健診情報の履歴を示す項目と、医師等による指導情報を示す項目とが格納されている。テーブル６８の健診情報は、標準健診情報として、複数の健診情報の履歴、指導情報は、付加健康情報として、サーバーリンク手段６１の健診情報生成・更新手段６６により、ウェブサーバー５０へ提供される。テーブル６８の個人特定情報の一部、例えば、氏名のみをユーザー認証後、個人特定情報提供手段６３によりウェブサーバー５０へ提供される。尚、ウェブサーバー５０へ提供する個人特定情報は、必要に応じて変更可能である。
【００２４】
従って、テーブル６８に示す情報をウェブサーバー５０に提供し、ユーザー認証された場合に必要な個人情報を提供することにより、ユーザーに健診情報の履歴や、健康維持に必要な指導情報を含む健康情報を提供することができ、第３者への情報漏洩を防ぐことができる。
【００２５】
次に、健康情報提供システム１００により実行される健康情報提供処理について説明する。図３は、健康情報提供処理を示すフローチャート図である。図３において、先ず、ウェブサーバー５０は、ユーザー端末２０からの要求に応じて健診情報を閲覧するためのホームページをそのユーザー端末２０に提供する（ステップＳ１０）。ユーザー端末２０により、ホームページの初期画面から短縮ＩＤとパスワードが入力される（ステップＳ１１）。ウェブサーバー５０は、入力された短縮ＩＤとパスワードからユーザー本人を認証し、健診情報の提供を許可されるか否かを判断する（ステップＳ１２）。ステップＳ１２の処理で、認証が許可されない場合、ウェブサーバー５０はユーザー端末２０に認証不可を示す情報を提供し、エラーを表示させる（ステップＳ１３）。ステップＳ１２の処理で、認証が許可された場合、ウェブサーバー５０は情報管理サーバー６０へユーザー端末２０から入力された短縮ＩＤを送信する（ステップＳ１４）。情報管理サーバー６０は、短縮ＩＤとＩＤ対応表６７からユーザー本人を認証し、健診情報の提供を許可されるか否かを判断する（ステップＳ１５）。
【００２６】
ステップＳ１５の処理で、認証が許可されない場合、ステップＳ１３の処理で、情報管理サーバー６０は、ウェブサーバー５０を介してユーザー端末２０に認証不可を示す情報を提供し、エラーを表示させる。尚、ステップＳ１３の処理で、情報管理サーバー６０から直接ユーザー端末２０にエラー表示させてもよい。ステップＳ１５の処理で、認証が許可された場合、情報管理サーバー６０は、ＩＤ対応表６７から短縮ＩＤに対応する個人ＩＤを取得し、その個人ＩＤに基づいて個人情報ＤＢ６４に格納された個人特定情報を抽出し、その個人特定情報をウェブサーバー５０へ提供する（ステップＳ１６）。ウェブサーバー５０は、健診情報ＤＢ５４に格納された短縮ＩＤに対応する健診情報ＩＤを抽出し、その健診情報ＩＤと情報管理サーバー６０の個人特定情報とを健康情報としてユーザー端末２０へ提供する（ステップＳ１７）。
【００２７】
このように、ユーザー端末２０から健康情報の閲覧要求があった場合、ウェブサーバー５０及び情報管理サーバー６０とで認証を行い、ユーザー本人であると認証された場合に、ウェブサーバー５０から情報管理サーバー６０から取得した個人特定情報と健診情報とをユーザー端末２０に提供することにより、既存の健診情報を活用し、所定の機関に出向くことなく、健康維持に必要な健康情報をユーザーの要求に応じて提供することができる。また、予めウェブサーバー５０で既存の健診情報を短縮ＩＤで管理し、認証結果に応じて個人特定情報のみを情報管理サーバー６０から取得することにより、ユーザーの要求時に最小限のデータのみで送受信することができると共に、２度の認証処理を実行することで情報漏洩を防ぎ、セキュリティを向上させることができる。
【００２８】
次に、ユーザー端末２０に表示される健康情報の例を詳細に説明する。図４は、携帯端末に表示される健康情報の例を示す図である。図４（Ａ）〜図４（Ｆ）は、携帯端末２１へウェブサーバー５０から提供される健康情報が表示される過程を示す画面である。先ず、図４（Ａ）に示す画面２００には、短縮ＩＤを入力する入力域２０１と、短縮ＩＤの入力後に次の画面を表示するボタン２０２と、前の画面に戻るボタン２０３と、一度表示した次の画面又は次の健康情報に進むボタン２０４とが表示されている。ユーザーが入力域２０１に短縮ＩＤを入力し、ボタン２０２を選択すると、図４（Ｂ）の画面２０５が表示される。
【００２９】
図４（Ｂ）の画面２０５には、ログインするための選択域２０６と、パスワード登録するための選択域２０７と、パスワード変更するための選択域２０８と、戻るボタン２０９と、進むボタン２１０とが表示される。例えば、すでにユーザーがパスワード登録している場合にログインするための選択域２０６を選択すると、図４（Ｃ）の画面２１１が表示される。
【００３０】
図４（Ｃ）の画面２１１には、パスワードを入力するための入力域２１２と、ログインするためのボタン２１３と、戻るボタン２１４と、進むボタン２１５とが表示される。ユーザーがパスワードを入力域２１２に入力し、ボタン２１３を選択すると、図４（Ｄ）の画面２２０が表示される。
【００３１】
図４（Ｄ）の画面２２０には、ユーザーの氏名（○○××様）を表示した表示域２２１と、健診データの複数の項目を表示するための選択域２２２と、戻るボタン２１４と、進むボタン２１５とが表示される。例えば、ユーザーが選択域２２２のうち血圧表の項目を選択すると、図４（Ｅ）の画面２２５が表示される。
【００３２】
図４（Ｅ）の画面２２５には、ユーザーの氏名、及び血圧データの測定日、血圧値、治療有無が表示され、測定日毎に詳細な情報を表示するための選択域２３５と、血圧データのグラフを表示するためのボタン２２６と、戻るボタン２２７と、進むボタン２２８とが表示される。例えば、ユーザーが選択域２３５の測定日「０４０６１５」を選択すると、図４（Ｆ）の画面２２９が表示される。また、ユーザーがグラフを表示するボタン２２６を選択すると、図５（Ｄ）の画面２４９が表示される。
【００３３】
図４（Ｆ）の画面２２９には、測定日「０４０６１５」の血圧値を示すグラフと、その測定日の注意事項を表示するための選択域２３０と、血圧分類を表示するための選択域２３１と、高血圧の治療に関する情報を表示するための選択域２３２と、戻るボタン２３３と、進むボタン２３４とが表示される。例えば、ユーザーが高血圧治療の選択域２３２を選択すると、図５（Ａ）の画面２４０が表示され、血圧分類の選択域２３１を選択すると、図５（Ｂ）の画面２４３が表示され、注意事項の選択域２３０を選択すると、図５（Ｃ）の画面２４０が表示される。
【００３４】
図５は、携帯端末に表示される健診情報の例を示す図である。図５（Ａ）の画面２４０には、医師等による高血圧に対する指導内容、例えば、目標の血圧値や食事指導などが表示されると共に、戻るボタン２４１と、進むボタン２４２とが表示される。また、図５（Ｂ）の画面２４３には、血圧値の分類と、ユーザーの血圧がどの分類であるかが表示されると共に、戻るボタン２４４と、進むボタン２４５とが表示される。図５（Ｃ）の画面２４６には、医師等による高血圧に対する注意事項などが表示されると共に、戻るボタン２４７と、進むボタン２４８とが表示される。図５（Ｄ）の画面２４９には、ユーザーの氏名と共に毎年度の血圧値の推移を示すグラフと、戻るボタン２５０と、進むボタン２５１とが表示される。画面２４９の血圧値の推移を示すグラフでは、最大血圧、最小血圧、治療有りを判別することができる。
【００３５】
このように、携帯端末２１から短縮ＩＤ及びパスワードを入力することにより、手軽に以前の健診時のデータやグラフ、医師による指導内容を手軽に閲覧することができ、日々の健康管理に活用することができる。尚、図４（Ｂ）において、パスワードが設定される前に、ユーザーの生年月日を認証に使用することも可能である。
【００３６】
図６は、ＰＣに表示される健診情報の例を示す図である。図６において、PC２２に表示される画面２６０は、ＰＣ２２から入力された短縮ＩＤ及びパスワードに基づいて、ウェブサーバー５０から提供される健康情報である。画面２６０には、ユーザーの生年月日、ユーザーの短縮ＩＤ、住所、氏名を示す表示域２６１と、肥満度に関する情報を示す表示域２６２と、血圧に関する情報を示す表示域２６３とが表示される。
【００３７】
表示域２６２には、肥満度の判定結果、例えば、ユーザーの身長、体重、肥満度の割合（％）、標準体重の範囲を示す表示域２６６と、医師等による肥満度に関するコメントを示す表示域２６７と、次のページを表示するためのボタン２６８とが表示されている。また、表示域２６３には、血圧の判定結果、例えば、ユーザーの血圧値、血圧判定区分を示す表示域２７０と、医師等による血圧に関するコメントを示す表示域２７１と、血圧分類のうちユーザーがどの分類であるかを示すグラフ２７２と、最大血圧と脳卒中発症率との関係のうちユーザーの発症率がどのあたりかを示すグラフ２７３と、グラフ２７２とグラフ２７３とに基づいた血圧値のコメントを示す表示域２７４と、血圧値の推移をグラフ表示するためのボタン２７５とが表示されている。
【００３８】
図７は、ＰＣに表示される健診情報の例を示す図である。図７において、PC２２に表示される画面２８０は、ＰＣ２２から入力された短縮ＩＤ及びパスワードに基づいて、ウェブサーバー５０から提供される健康情報であり、図６に示すボタン２６８を選択すると表示される。画面２８０には、ユーザーの氏名を示す表示域２８１と、飲酒、喫煙に関する情報を示す表示域２８２と、尿検査に関する情報を示す表示域２８３とが表示される。
【００３９】
表示域２８２には、飲酒、喫煙の判定結果、例えば、ユーザーの飲酒習慣（一日に摂取する量）、喫煙習慣（一日に喫煙する本数）を示す表示域２８５と、飲酒習慣の男女差のうち、ユーザーの飲酒習慣がとのあたりであるかを示すグラフ２８６と、喫煙習慣の男女差のうち、ユーザーの喫煙習慣がとのあたりであるかを示すグラフ２８７と、医師等による飲酒、喫煙に関するコメントを示す表示域２８８とが表示されている。また、表示域２８３には、尿検査の判定結果、例えば、ユーザーの尿糖、尿たん白、尿潜血の有無を示す表示域２９０と、尿糖の分布とユーザーの検査結果を示すグラフ２９１と、尿たん白の分布とユーザーの検査結果を示すグラフ２９２と、尿潜血の分布と自分の検査結果を示すグラフ２９３と、医師等による血圧に関するコメントを示す表示域２９４とが表示されている。
【００４０】
このように、ＰＣ２２へ画面２６０、画面２８０に示す健診情報を表示することにより、詳細な医師の指導内容を手軽に閲覧することができ、日々の健康管理に活用することができる。また、専門知識を有する医療関係者側からは、自己学習をしたユーザーに対して、基本的な話を省いて専門性の高い指導ができる。
【００４１】
尚、上記に示す携帯端末２１及びＰＣ２２に表示されるそれぞれの画面は、管理者及び医師等の指導者によって任意に設定変更可能である。
【００４２】
次に、本発明の第２実施例である健康情報提供システム１１０について説明する。図８は、本発明の第２実施形態に係る健康情報提供システムを示すブロック図である。図８に示す健康情報提供システム１１０において、図１に示す健康情報提供システム１００と同様の構成については同符号を付して説明を省略する。健康情報提供システム１１０は、情報管理サーバー６００で外字を含む個人特定情報を画像化し、画像化した画像情報をウェブサーバー５０に提供する点で健康情報提供システム１００と異なる。以下、具体的に説明すると、情報管理サーバー６００は、ユーザーの個人特定情報に含まれる外字毎に、その外字を画像化した画像情報が格納された外字表６１２と、サーバーリンク手段６１０に外字を含む個人特定情報を画像化する画像化手段６１１を有する。画像化手段６１１は、先ず、認証手段６２によりユーザー本人であると認証された場合、認証時の短縮ＩＤによりＩＤ対応表６７から個人ＩＤを取得し、個人ＩＤで個人情報ＤＢ６４から個人特定情報を抽出する。更に、画像化手段６１１は、外字表６１２を参照し、抽出した個人特定情報に外字が含まれていると判断した場合、その個人特定情報を画像化し、画像情報をウェブサーバー５０へ提供する。ウェブサーバー５０の情報提供手段５２は、外字機能を持たないユーザー端末２０へ画像情報と共に健診情報を提供する。
【００４３】
このように、情報管理サーバー６００で外字を含む個人特定情報を画像化し、その画像情報をウェブサーバー５０へ提供して外字機能を持たないユーザー端末２０へ画像情報を提供することにより、ユーザー端末２０に氏名などの個人を識別する情報を正確に表示させることができる。
【図面の簡単な説明】
【００４４】
【図１】本発明の第１実施形態に係る健康情報提供システムを示すブロック図
【図２】個人情報ＤＢに格納されるテーブルを示す図
【図３】健康情報提供処理を示すフローチャート図
【図４】携帯端末に表示される健康情報の例を示す図
【図５】携帯端末に表示される健康情報の例を示す図
【図６】ＰＣに表示される健康情報の例を示す図
【図７】ＰＣに表示される健康情報の例を示す図
【図８】本発明の第２実施形態に係る健康情報提供システムを示すブロック図
【符号の説明】
【００４５】
４・・・ルーター
５・・・切替手段
６・・・ＤＭＺ（非武装地帯）
１０・・・ネットワーク
１１・・・携帯電話網
２０・・・ユーザー端末
２１・・・携帯端末
２２・・・ＰＣ
５０・・・ウェブサーバー
５１・・・認証手段
５２・・・情報提供手段
５３・・・短縮ＩＤＤＢ
５４・・・個人情報ＤＢ
５５・・・標準健診情報
５６・・・付加健診情報
６０、６００・・・情報管理サーバー
６１・・・サーバーリンク手段
６２・・・認証手段
６３・・・個人特定情報提供手段
６４・・・健診情報ＤＢ
６５・・・短縮ＩＤ生成手段
６６・・・健診情報生成・更新手段
６７・・・ＩＤ対応表
１００、１１０・・・健康情報提供システム
【図１】
2006107134.tif 000003
【図２】
2006107134.tif 000004
【図３】
2006107134.tif 000005
【図４】
2006107134.tif 000006
【図５】
2006107134.tif 000007
【図６】
2006107134.tif 000008
【図７】
2006107134.tif 000009
【図８】
2006107134.tif 000010